(57)【要約】【課題】相手側コネクタとの嵌合時の嵌合不良が生じにくい構成を備える電気コネクタ及び電気コネクタの製造方法を提供する。【解決手段】雄コネクタ１００は、雌コネクタを収容し、雌コネクタと機械的に接続される雄ハウジング１０と、雄ハウジング１０内で雌コネクタと電気的に接続されるように配置された雄端子２１と、を備える。雄ハウジング１０は、雌コネクタが挿入される開口部１２と、開口部１２へ雌コネクタを挿入する方向に延び、対向して配置される第１の壁部１４及び第２の壁部１５と、開口部１２に対向する底面２３と、を備える。第２の壁部１５は、底面２３に対して鈍角又は垂直となるように配置されたテーパ壁面２５ｂと、底面２３に対して鋭角となるように配置された逆テーパ壁面２５ａと、を備える。【選択図】図２
2019135708.tif 000002
【特許請求の範囲】
【請求項１】
相手側コネクタを収容し、前記相手側コネクタと機械的に接続されるハウジングと、
前記ハウジング内で前記相手側コネクタと電気的に接続されるように配置された端子と、を備え、
前記ハウジングは、前記相手側コネクタが挿入される開口部と、前記開口部へ前記相手側コネクタを挿入する方向に延び、対向して配置される第１及び第２の内壁と、前記開口部に対向する底面と、を備え、
前記第２の内壁は、前記底面に対して鈍角又は垂直となるように配置されたテーパ壁面と、前記底面に対して鋭角となるように配置された逆テーパ壁面と、を備える、
電気コネクタ。
【請求項２】
前記第１の内壁の壁面は、前記底面に対して鈍角又は垂直となるように配置されている、
請求項１に記載の電気コネクタ。
【請求項３】
前記第１の内壁の壁面において、前記テーパ壁面に対向する部分は前記底面に対して鈍角又は垂直となるように配置され、前記逆テーパ壁面に対向する部分は前記底面に対して鋭角となるように配置されている、
請求項１に記載の電気コネクタ。
【請求項４】
前記逆テーパ壁面は、前記挿入する方向から見たときに前記第２の内壁の高さの上下端部に配置されている、
請求項１〜３のいずれか１項に記載の電気コネクタ。
【請求項５】
前記逆テーパ壁面は、前記挿入する方向から見たときに前記第２の内壁の高さの中央部に配置されている、
請求項１〜３のいずれか１項に記載の電気コネクタ。
【請求項６】
前記ハウジングは、前記挿入する方向から見たときに前記第１及び第２の内壁が短辺となる矩形に形成された内壁部を備える、
請求項１〜５のいずれか１項に記載の電気コネクタ。
【請求項７】
前記第１及び第２の内壁の一方に配置され、前記相手側コネクタが前記ハウジングに挿入されたとき、前記相手側コネクタと係合し、前記相手側コネクタの抜去を規制する凸部をさらに備える、
請求項１〜６のいずれか１項に記載の電気コネクタ。
【請求項８】
第１の型と第２の型とにより電気コネクタのハウジングを樹脂材料から成形する、電気コネクタの製造方法であって、
前記第１の型は、前記ハウジングに収容される相手側コネクタをその内部に挟むために対向する一対の内壁の壁面の一部を形成する、第１のテーパ面を備え、
前記第２の型は、前記一対の内壁の壁面の残部を形成する、第２のテーパ面を備え、
前記一対の内壁における前記第１のテーパ面の勾配と前記第２のテーパ面の勾配とが互いに逆方向となるように、前記第１の型と前記第２の型とを組み合わせる、
電気コネクタの製造方法。
【請求項９】
前記第１の型は、前記樹脂材料を収容して前記ハウジングの外面を形成する箱体に形成されており、
前記第１の型は、一方に開口する開口部と、前記開口部に対向する底部と、前記底部から前記開口部に向かって延出する延出部と、を備え、
前記第１のテーパ面は、前記延出部に設けられている、
請求項８に記載の電気コネクタの製造方法。
【発明の詳細な説明】
【技術分野】
【０００１】
本発明は、電気コネクタ及び電気コネクタの製造方法に関する。
【背景技術】
【０００２】
特許文献１には、相手側コネクタが嵌合するための嵌合開口を有するハウジングを備える電気コネクタが開示されている。ハウジングは、樹脂から成形されている。嵌合開口は、開口端に向けて広がるよう傾斜する内側面と、内側面に形成され、嵌合方向に整合して直線的に延びる端縁を含む細幅リブとを有する。
【先行技術文献】
【特許文献】
【０００３】
【特許文献１】特許第３３２０３６６号公報
【発明の概要】
【発明が解決しようとする課題】
【０００４】
樹脂材料から成形されたハウジングでは、成形後の樹脂材料の収縮による変形で嵌合開口が広がってしまう。これにより、ハウジングを相手側コネクタと嵌合した際に、がたが生じるおそれがある。
【０００５】
本発明は、上記事由に鑑みてなされたものであり、相手側コネクタとの嵌合時の嵌合不良が生じにくい構成を備える電気コネクタ及び電気コネクタの製造方法を提供することを目的とする。
【課題を解決するための手段】
【０００６】
上記の目的を達成するため、本発明の第１の観点に係る電気コネクタは、
相手側コネクタを収容し、前記相手側コネクタと機械的に接続されるハウジングと、
前記ハウジング内で前記相手側コネクタと電気的に接続されるように配置された端子と、を備え、
前記ハウジングは、前記相手側コネクタが挿入される開口部と、前記開口部へ前記相手側コネクタを挿入する方向に延び、対向して配置される第１及び第２の内壁と、前記開口部に対向する底面と、を備え、
前記第２の内壁は、前記底面に対して鈍角又は垂直となるように配置されたテーパ壁面と、前記底面に対して鋭角となるように配置された逆テーパ壁面と、を備える。
【０００７】
前記第１の内壁の壁面は、前記底面に対して鈍角又は垂直となるように配置されている、
こととしてもよい。
【０００８】
前記第１の内壁の壁面において、前記テーパ壁面に対向する部分は前記底面に対して鈍角又は垂直となるように配置され、前記逆テーパ壁面に対向する部分は前記底面に対して鋭角となるように配置されている、
こととしてもよい。
【０００９】
前記逆テーパ壁面は、前記挿入する方向から見たときに前記第２の内壁の高さの上下端部に配置されている、
こととしてもよい。
【００１０】
前記逆テーパ壁面は、前記挿入する方向から見たときに前記第２の内壁の高さの中央部に配置されている、
こととしてもよい。
【００１１】
前記ハウジングは、前記挿入する方向から見たときに前記第１及び第２の内壁が短辺となる矩形に形成された内壁部を備える、
こととしてもよい。
【００１２】
前記第１及び第２の内壁の一方に配置され、前記相手側コネクタが前記ハウジングに挿入されたとき、前記相手側コネクタと係合し、前記相手側コネクタの抜去を規制する凸部をさらに備える、
こととしてもよい。
【００１３】
上記の目的を達成するため、本発明の第２の観点に係る電気コネクタの製造方法は、
第１の型と第２の型とにより電気コネクタのハウジングを樹脂材料から成形する、電気コネクタの製造方法であって、
前記第１の型は、前記ハウジングに収容される相手側コネクタをその内部に挟むために対向する一対の内壁の壁面の一部を形成する、第１のテーパ面を備え、
前記第２の型は、前記一対の内壁の壁面の残部を形成する、第２のテーパ面を備え、
前記一対の内壁における前記第１のテーパ面の勾配と前記第２のテーパ面の勾配とが互いに逆方向となるように、前記第１の型と前記第２の型とを組み合わせる。
【００１４】
前記第１の型は、前記樹脂材料を収容して前記ハウジングの外面を形成する箱体に形成されており、
前記第１の型は、一方に開口する開口部と、前記開口部に対向する底部と、前記底部から前記開口部に向かって延出する延出部と、を備え、
前記第１のテーパ面は、前記延出部に設けられている、
こととしてもよい。
【発明の効果】
【００１５】
本発明では、電気コネクタのハウジングが、開口部と、対向する第１及び第２の内壁と、開口部に対向する底面と、を備える。そして、第２の内壁は、底面に対して鈍角又は垂直となるように配置されたテーパ壁面部と、底面に対して鋭角となるように配置された逆テーパ壁面部と、を備える。逆テーパ壁面部を形成したことにより、成形後の樹脂の収縮による変形で嵌合開口が広がっても、がたが生じにくくなる。従って、本発明によれば、相手側コネクタとの嵌合時の嵌合不良が生じにくい構成を備える電気コネクタ及び電気コネクタの製造方法を提供することができる。
【図面の簡単な説明】
【００１６】
【図１】図１は、本発明の実施の形態１に係る電気コネクタである雄コネクタと、相手側コネクタである雌コネクタと、を示す斜視図である。
【図２】図２（ａ）は、雄コネクタの正面図である。図２（ｂ）は、図２（ａ）のＣ１−Ｃ１線で切断した断面図である。図２（ｃ）は、図２（ａ）のＣ２−Ｃ２線で切断した断面図である。
【図３】図３は、雄ハウジングと第１及び第２の金型との組み合わせを示す分解斜視図である。
【図４】図４（ａ）は、第１の金型を＋Ｙ方向から見た図である。図４（ｂ）は、図４（ａ）のＣ３−Ｃ３線で切断した断面図である。
【図５】図５（ａ）は、第２の金型を＋Ｙ方向から見た図である。図５（ｂ）は、図５（ａ）のＣ４−Ｃ４線で切断した断面図である。
【図６】図６は、雄コネクタの雄ハウジング内に雌コネクタを挿入する状態を簡易的に示す断面図である。
【図７】図７は、雄コネクタの雄ハウジング内に雌コネクタが挿入された状態を示す断面図である。
【図８】図８（ａ）は、本発明の実施の形態２に係る電気コネクタである雄コネクタの正面図である。図８（ｂ）は、図８（ａ）のＣ５−Ｃ５線で切断した断面図である。図８（ｃ）は、図８（ａ）のＣ６−Ｃ６線で切断した断面図である。
【図９】図９は、雄ハウジングと第１及び第２の金型との組み合わせを示す分解斜視図である。
【図１０】図１０（ａ）は、第１の金型を＋Ｙ方向から見た図である。図１０（ｂ）は、図１０（ａ）のＣ７−Ｃ７線で切断した断面図である。
【図１１】図１１（ａ）は、第２の金型を＋Ｙ方向から見た図である。図１１（ｂ）は、図１１（ａ）のＣ８−Ｃ８線で切断した断面図である。
【図１２】図１２（ａ）は、本発明の実施の形態３に係る電気コネクタである雄コネクタの正面図である。図１２（ｂ）は、図１２（ａ）のＣ９−Ｃ９線で切断した断面図である。図１２（ｃ）は、図１２（ａ）のＣ１０−Ｃ１０線で切断した断面図である。
【図１３】図１３は、雄ハウジングと第１及び第２の金型との組み合わせを示す分解斜視図である。
【図１４】図１４（ａ）は、第１の金型を＋Ｙ方向から見た図である。図１４（ｂ）は、図１４（ａ）のＣ１１−Ｃ１１線で切断した断面図である。
【図１５】図１５（ａ）は、第２の金型を＋Ｙ方向から見た図である。図１５（ｂ）は、図１５（ａ）のＣ１２−Ｃ１２線で切断した断面図である。
【図１６】図１６は、雄コネクタの雄ハウジング内に雌コネクタを挿入する状態を簡易的に示す断面図である。
【発明を実施するための形態】
【００１７】
実施の形態１．
以下、本発明を実施するための形態に係る電気コネクタについて図面を参照しながら説明する。なお、理解を容易にするために、相互に直交するＸＹＺ座標を設定し、適宜参照する。ＸＹＺ座標のＹ軸方向は、図１に示すように、雄コネクタ１００（電気コネクタ）に対して雌コネクタ２００（相手側コネクタ）が嵌合するために移動する挿入方向Ｄと同一の方向である。Ｘ軸方向は、第１の壁部１４と第２の壁部１５とが対向する方向（雄コネクタ１００の幅方向）と同一の方向である。Ｚ軸方向は、Ｘ軸方向及びＹ軸方向の双方向に直交する方向である。また、上下関係については、＋Ｚ方向を便宜上「上」とし、反対側を「下」とする。
【００１８】
図１及び図２（ａ）〜（ｃ）に示すように、本実施の形態に係る電気コネクタである雄コネクタ１００は、雄ハウジング１０（ハウジング）と、雄端子２１（端子）と、を備える。
【００１９】
雄ハウジング１０は、樹脂材料から形成されている。雄ハウジング１０には、図２（ａ）に示すように、−Ｙ方向側の端面の開口部１２から開口する凹部として形成された収容部１１が形成されている。
【００２０】
収容部１１は、開口部１２から＋Ｙ方向に開口しており、相手方コネクタである雌コネクタ２００を収容する。雄ハウジング１０は、収容部１１を形成するための第１の壁部１４、第２の壁部１５、第３の壁部１６、第４の壁部１７及び底部１３を備える。従って、雄ハウジング１０は、第１の壁部１４、第２の壁部１５、第３の壁部１６、第４の壁部１７及び底部１３によって、開口部１２が開口する箱体に形成されている。
【００２１】
第１の壁部１４、第２の壁部１５、第３の壁部１６及び第４の壁部１７は、開口部１２から、Ｙ軸方向に沿って延びている。対向する第１の壁部１４及び第２の壁部１５は、開口部１２の高さを規定する壁である。対向する第３の壁部１６及び第４の壁部１７は、開口部１２のＸ軸方向、即ち幅方向を規定する壁である。
【００２２】
図２（ｂ）、（ｃ）に示すように、第１の壁部１４、第２の壁部１５、第３の壁部１６及び第４の壁部１７がＹ軸方向に延びる先には、雄ハウジング１０の一端を閉塞する底部１３が設けられている。底部１３は、雄端子２１が挿通するやや厚い箇所と、その周囲の比較的薄い箇所と、の両方に形成された内面である底面２３を含む。底部１３の一部には、図２（ａ）、（ｂ）に示すように、後述する第１の金型３００（第１の型）が挿通した結果形成された底面開口部１８ａ、１８ｂ、１８ｃが設けられている。
【００２３】
第１の壁部１４、第２の壁部１５、第３の壁部１６及び第４の壁部１７は、それぞれの内壁である、第１の内壁２４、第２の内壁２５、第３の内壁２６及び第４の内壁２７を備える。第１の内壁２４、第２の内壁２５、第３の内壁２６及び第４の内壁２７は、内壁部６０を構成する。内壁部６０は、雄ハウジング１０を挿入する方向（挿入方向Ｄ）であるＹ軸方向から見たときに、第１の内壁２４及び第２の内壁２５が短辺となる矩形に形成されている。第１の内壁２４は、高さ方向の上下端部に２箇所のテーパ壁面２４ｂを備える。第２の内壁２５は、高さ方向の上下端部に２箇所の逆テーパ壁面２５ａと、それらの間の中央部に設けられたテーパ壁面２５ｂと、を備える。第３の内壁２６及び第４の内壁２７には、雌コネクタ２００の雌ハウジング２１０と係合する等のために、それぞれ複数個の溝部１９が設けられている。
【００２４】
第１の壁部１４のテーパ壁面２４ｂは、底面２３に対して鈍角となるように配置されている。鈍角とは、９０°より大きく１８０°より小さい角度を言う。以下、本明細書では底面２３に対して鈍角となるテーパ面を順テーパ面という。ただし、以下の実施の形態の説明において、順テーパ面として説明した面は、いずれも底面２３に対して垂直（９０°）に形成されていてもよい。
【００２５】
第２の壁部１５のテーパ壁面２５ｂは、順テーパ面である。第２の壁部１５の逆テーパ壁面２５ａは、底面２３に対して鋭角となるように配置されている。鋭角とは、０°より大きく９０°より小さい角度を言う。以下、本明細書では底面２３に対して鋭角となるテーパ面を逆テーパ面という。
【００２６】
図２（ｂ）に示すように、Ｚ軸方向である高さ方向の上の部分において、テーパ壁面２４ｂと逆テーパ壁面２５ａとが対向している。高さ方向の下の部分においても、同様に、テーパ壁面２４ｂと逆テーパ壁面２５ａとが対向している。
【００２７】
図２（ｃ）に示すように、第１の壁部１４の２箇所のテーパ壁面２４ｂの間には、雌コネクタ２００の係止部２２０が通るための逃げ空間２８が設けられている。従って、逃げ空間２８の部分に第１の壁部１４の壁面は形成されていない。
【００２８】
その他、逃げ空間２８には、被係止部２０（凸部）が配置されている。被係止部２０は、Ｚ軸方向における第１の壁部１４の中央部において、爪状の凸部を有する。被係止部２０は、後述する雌コネクタ２００の雌ハウジング２１０が雄ハウジング１０に挿入されたとき、雌ハウジング２１０の係止部２２０とＹ軸方向に係合し、雌コネクタ２００の抜去を規制する。
【００２９】
雌コネクタ２００は、図１に示すように、雌ハウジング２１０と、係止部２２０と、雌端子２２１と、を備える。雌ハウジング２１０は、雄コネクタ１００の収容部１１内に収容可能な形状を有する。係止部２２０は、雄コネクタ１００の被係止部２０に係止される。雌端子２２１は、雄コネクタ１００の雄端子２１と電気的に接続される。雌端子２２１の幅は、雄端子２１より広く形成されている。
【００３０】
雄ハウジング１０は、基板３０上に載置されている。基板３０は、樹脂材料から平板状に形成されており、一部に金属部分を備える。雄ハウジング１０は、Ｘ軸方向に２箇所配置された取付部材４０によって、基板３０上に固定されている。
【００３１】
取付部材４０は、概ね９０°に屈曲した金属製の板材である。取付部材４０は、屈曲部を挟んで一方が雄ハウジング１０の側面に嵌合され、他方には複数の孔５０が設けられている。孔５０は、取付部材４０を基板３０にはんだ付けするときに、はんだが流れ込むことではんだ付け強度が向上するように設けられた孔である。
【００３２】
図２（ａ）〜（ｃ）に示すように、雄端子２１は、上下各１０本、計２０本設けられている。雄端子２１は、Ｙ軸方向に沿うようにして雄ハウジング１０に保持されている。上側の段の雄端子２１における開口部１２側の一端の位置は、下側の段の雄端子２１における開口部１２側の一端の位置から、＋Ｚ方向に移動した位置である。すなわち、開口部１２内において、上下の段の雄端子２１は、Ｚ軸方向に対向して保持されている。これに対し、上下の段の雄端子２１における他端は、基板３０との接続を容易にするために、左右にずれて保持されている。
【００３３】
次に、図３〜図５を参照して、雄コネクタ１００の製造方法について説明する。
【００３４】
図３に示すように、雄コネクタ１００の雄ハウジング１０は、第１の金型３００と第２の金型４００（第２の型）とにより樹脂材料から成形される。本実施の形態で説明する製造方法は、特に、雄ハウジング１０において、第１の壁部１４のテーパ壁面２４ｂと、第２の壁部１５の逆テーパ壁面２５ａ及びテーパ壁面２５ｂと、を形成することを指す。
【００３５】
第１の金型３００は、樹脂材料を収容して主に雄ハウジング１０の外面を形成する、略四角形の箱体に形成されている。第１の金型３００は、開口部３２２において開口している。第１の金型３００は、開口部３２２に対向する底部３１０と、底部３１０から開口部３２２に向かって延びる壁部３１４、３１５、３１６及び３１７と、を備える。壁部３１４、壁部３１５、壁部３１６及び壁部３１７は、略四角筒状に形成されており、その一端は底部３１０によって閉塞されている。底部３１０、壁部３１４、壁部３１５、壁部３１６及び壁部３１７の内面は、それぞれ、底面３２１、内壁３２４、内壁３２５、内壁３２６及び内壁３２７である。底面３２１、内壁３２４、内壁３２５、内壁３２６及び内壁３２７によって、Ｙ軸方向から見たときに矩形である凹面部３２０が形成されている。凹面部３２０は、開口部３２２において開口している。凹面部３２０は、主に雄ハウジング１０の外面を形成する。
【００３６】
また、第１の金型３００は、底部３１０から開口部３２２側に向かって−Ｙ方向に延出する２つの延出部３４０ａ、３４０ｂを備える。図４（ａ）に示すように、２つの延出部３４０ａ、３４０ｂは、Ｚ軸方向に対向した状態で底部３１０に保持されている。
【００３７】
図４（ａ）、（ｂ）に示すように、延出部３４０ａ、３４０ｂは、底部３１０とは別の部材又は同一の部材であり、底部３１０を貫通している。延出部３４０ａ、３４０ｂは、底部３１０と一体となっている。その他、製造を容易とするために、雄ハウジング１０の成形後の第１の金型３００からの離型の際に、第１の金型３００と雄ハウジング１０から延出部３４０ａ、３４０ｂを抜いた後、第１の金型３００から雄ハウジング１０を離型する場合もある。そのため、延出部３４０ａ、３４０ｂを、底部３１０と組み合わせられる別体として形成することとしてもよい。延出部３４０ａは、＋Ｘ方向の一面に、雄ハウジング１０の逆テーパ壁面２５ａを形成するためのテーパ面３４１（第１のテーパ面）が形成された形状を有する。テーパ面３４１が形成されることにより、延出部３４０ａの幅は、＋Ｙ方向側から−Ｙ方向側に向かうにつれて徐々に細くなる。延出部３４０ｂも、延出部３４０ａと同様にテーパ面３４１が形成された形状を有する。
【００３８】
雄ハウジング１０が形成された後、延出部３４０ａ、３４０ｂに対応する雄コネクタ１００の部分は、底面開口部１８ｂ、１８ｃとなる。
【００３９】
図５（ａ）、（ｂ）に示すように、第２の金型４００は、基部４１０から凸面部４２０が突出した形状を有する。凸面部４２０は、第１の壁部１４のテーパ壁面２４ｂを形成するテーパ面４２１（第２のテーパ面）と、第２の壁部１５のテーパ壁面２５ｂを形成するテーパ面４２２（第２のテーパ面）と、を備える。テーパ面４２１は、凸面部４２０における−Ｘ方向側の面に形成されている。テーパ面４２１は、＋Ｙ方向側が、＋Ｘ方向側に傾斜して形成されている。テーパ面４２２は、凸面部４２０における＋Ｘ方向側の面に形成されている。テーパ面４２２は、＋Ｙ方向側が、−Ｘ方向側に傾斜して形成されている。テーパ面４２２が形成された部分は、第１の金型３００と第２の金型４００とを組み合わせたときに、第１の金型３００の延出部３４０ａと延出部３４０ｂとの間に位置する。
【００４０】
図３に示すように、第１の金型３００と第２の金型４００とで雄ハウジング１０を成形する際には、テーパ面３４１の勾配とテーパ面４２２の勾配とが互いに逆方向となるように、第１の金型３００と第２の金型４００とを組み合わせる。続いて、第１の金型３００と第２の金型４００とを組み合わせた状態において、樹脂材料を注入して、雄ハウジング１０を成形する。これにより、成形後の雄ハウジング１０には、Ｙ軸方向から見た高さ方向の中央に１箇所の順テーパ面のテーパ壁面２５ｂと、上下方向であるＺ軸方向に２箇所の逆テーパ壁面２５ａと、が形成される。
【００４１】
以上のように、第１の金型３００及び第２の金型４００により、対向する第１の壁部１４及び第２の壁部１５の内の一部に逆テーパ壁面２５ａが形成され、残部に順テーパ面が形成される。
【００４２】
その他、第１の金型３００及び第２の金型４００には、組み合わせて雄コネクタ１００の被係止部２０及び逃げ空間２８を形成するための、図示しない凸部又は凹部が設けられている。
【００４３】
次に、図６及び図７を参照して、上記のように構成された雄コネクタ１００の雄ハウジング１０内に雌コネクタ２００を挿入する形態を説明する。
【００４４】
嵌合前の状態から、図６に示すように、雌コネクタ２００を挿入方向Ｄに従って雄ハウジング１０の開口部１２から挿入すると、雌コネクタ２００の雌ハウジング２１０は、テーパ壁面２４ｂ及び逆テーパ壁面２５ａに案内される。即ち、雌ハウジング２１０は、底面２３の法線である仮想線Ｐに対してやや図示右側に傾く方向で案内される。
【００４５】
さらに雌コネクタ２００が挿入されると、Ｚ軸方向から見てテーパ壁面２５ｂと逆テーパ壁面２５ａとが交差するＹ軸方向の位置Ｑより先（＋Ｙ方向）では、雌ハウジング２１０はテーパ壁面２４ｂとテーパ壁面２５ｂとに案内される。即ち、雌ハウジング２１０は、仮想線Ｐと略平行に雄ハウジング１０内を進行する。雌端子２２１の幅は雄端子２１の幅より広いため、雄端子２１と雌端子２２１との接続に支障はない。
【００４６】
ここで、雄ハウジング１０の底面２３における幅寸法Ｗ１と、開口部１２におけるテーパ壁面２４ｂとテーパ壁面２５ｂとの間隔である幅寸法Ｗ２と、の関係は、Ｗ１＜Ｗ２である。この関係は、テーパ壁面２４ｂとテーパ壁面２５ｂとがいずれも順テーパ面であることによる。
【００４７】
また、幅寸法Ｗ１と、開口部１２におけるテーパ壁面２４ｂと逆テーパ壁面２５ａとの間隔である幅寸法Ｗ３と、の関係は、Ｗ１≧Ｗ３である。即ち、逆テーパ壁面２５ａを設けた領域では、開口部１２における幅が底面２３における幅と同等又はさらに狭くなっている。
【００４８】
その後、図７に示すように、雌コネクタ２００が雄ハウジング１０の底面２３まで到達し挿入が完了する。これにより、雄ハウジング１０と雌ハウジング２１０とが機械的に接続される。挿入完了時には、雌ハウジング２１０に設けられた係止部２２０が雄コネクタ１００の被係止部２０に係止される。
【００４９】
雄コネクタ１００の被係止部２０及び雌コネクタ２００の係止部２２０は、Ｙ軸方向から見た矩形の短辺の１つに位置している。被係止部２０と係止部２２０との嵌合を解除する際には、雌コネクタ２００をユーザの指で挟んで、係止部２２０を押圧する。
【００５０】
以上のように雄コネクタ１００を構成することで、開口部１２において順テーパ面により広がる第１の壁部１４と第２の壁部１５との間隔が、一部に設けられた逆テーパ壁面２５ａにより狭められる。これにより、成形後の樹脂の収縮による変形で嵌合開口が広がっても、がたが生じにくくなる。従って、本実施の形態の雄コネクタ１００によれば、相手側コネクタとの嵌合時の嵌合不良が生じにくい構成を備える電気コネクタを提供することができる。
【００５１】
また、ハウジング間の隙間が大きいと、雌コネクタ２００の挿入時に雄コネクタ１００の被係止部２０と雌コネクタ２００の係止部２２０との係止が十分に行われないケースがある。これに対し、実施の形態１の雄コネクタ１００によれば、挿入時の雌コネクタ２００との隙間を小さくすることができるため、雌コネクタ２００の係止部２２０がより確実に雄コネクタ１００の被係止部２０に係止される。
【００５２】
また、図２に示すように、第１の壁部１４の壁面であるテーパ壁面２４ｂは、底面２３に対して鈍角となるように配置されている。テーパ壁面２４ｂは、雄ハウジング１０を箱型に形成するための第２の金型４００のテーパ面４２１によって設けることができる。
【００５３】
また、逆テーパ壁面２５ａは、挿入方向Ｄから見たときに第２の内壁２５の高さの上下端部に配置されている。このように配置することで、逆テーパ壁面２５ａの案内を確実に行うことができる。
【００５４】
また、雄ハウジング１０の内壁部６０は、挿入方向Ｄから見たときに第１の内壁２４及び第２の内壁２５が短辺として矩形に形成されている。これにより、高さ方向が短辺で横幅が広い端子の嵌合において、樹脂の収縮によるがた及びそれによる雌コネクタ２００挿入時の引っかかりを抑制することができる。
【００５５】
また、雄コネクタ１００は、相手側コネクタである雌コネクタ２００が雄ハウジング１０に挿入されたとき、雌コネクタ２００と係合し、雌コネクタ２００の抜去を規制する凸部である被係止部２０をさらに備える。被係止部２０は、第１の壁部１４に配置される。そして、第１の壁部１４と対向する第２の壁部１５に逆テーパ壁面２５ａを設けることで、第１の壁部１４に被係止部２０を設けた場合に、被係止部２０と係止部２２０との係止を確実に行うことができる。
【００５６】
実施の形態２．
図８（ａ）〜（ｃ）を参照して、本発明の実施の形態２に係る雄コネクタ１０２（電気コネクタ）を説明する。雄コネクタ１０２では、第２の壁部１５の第２の内壁２５の構成が実施の形態１の雄コネクタ１００と異なる。
【００５７】
第１の壁部１４の第１の内壁２４は、実施の形態１と同様に、高さ方向の上下端部に２箇所のテーパ壁面２４ｂを備える。
【００５８】
図８（ａ）、（ｂ）に示すように、第２の壁部１５の第２の内壁２５は、高さ方向の上下端部に順テーパ面のテーパ壁面２５ｂを備える。また、図８（ａ）、（ｃ）に示すように、第２の内壁２５は、高さ方向の中央部に逆テーパ壁面２５ａを備える。逆テーパ壁面２５ａに対応する底部１３の位置には、底面開口部１８ｄが設けられている。
【００５９】
次に、図９〜図１１を参照して、実施の形態２の雄コネクタ１０２の製造方法に使用される第１の金型３０２（第１の型）及び第２の金型４０２（第２の型）について説明する。
【００６０】
図９に示すように、雄コネクタ１０２の雄ハウジング１０は、第１の金型３０２と第２の金型４０２とにより樹脂材料から成形される。本実施の形態で説明する製造方法は、特に、雄ハウジング１０において、第１の壁部１４のテーパ壁面２４ｂと、第２の壁部１５の逆テーパ壁面２５ａ及びテーパ壁面２５ｂと、を形成することを指す。
【００６１】
図９及び図１０（ａ）、（ｂ）に示すように、実施の形態２の第１の金型３０２には、１つの延出部３４０が底面３２１から開口部３２２に向かって突出するように配置されている。延出部３４０は、高さ方向の中央部に設けられている。雄ハウジング１０の逆テーパ壁面２５ａを形成するためのテーパ面３４１が延出部３４０に設けられていることは、実施の形態１と同様である。
【００６２】
また、図９及び図１１（ａ）、（ｂ）に示すように、実施の形態２の第２の金型４０２には、１つのテーパ面４２１と、２つのテーパ面４２２と、が配置されている。テーパ面４２１は、順テーパ面であるテーパ壁面２４ｂを形成する。テーパ面４２２は、前述の中央部の逆テーパ壁面２５ａの上下に位置する、順テーパ面のテーパ壁面２５ｂを形成する。
【００６３】
その他、第１の金型３０２及び第２の金型４０２には、組み合わせて雄コネクタ１０２の被係止部２０及び逃げ空間２８を形成するための、図示しない凸部又は凹部が設けられている。
【００６４】
これらの第１の金型３０２、第２の金型４０２を使用して、前述の図３と同様に雄ハウジング１０の材料を挟み込んで成形することにより、実施の形態２の雄コネクタ１０２における雄ハウジング１０が形成される。
【００６５】
実施の形態２において、雌コネクタ２００を雄コネクタ１０２の雄ハウジング１０に挿入する際の動作は、実施の形態１の図６で説明したものと同様である。即ち、挿入の初期には、雌コネクタ２００はテーパ壁面２４ｂと逆テーパ壁面２５ａとにより案内される。その後、Ｚ軸方向から見て逆テーパ壁面２５ａとテーパ壁面２５ｂとが交差した位置Ｑから先では、雌コネクタ２００はテーパ壁面２４ｂとテーパ壁面２５ｂとにより案内される。
【００６６】
以上説明したように、逆テーパ壁面２５ａを実施の形態１における位置とは別の位置に設けることとしてもよい。逆テーパ壁面２５ａを挿入方向Ｄから見たときに第２の内壁２５の高さの中央部に配置することで、１箇所の逆テーパ壁面２５ａで雌コネクタ２００を案内することができる。
【００６７】
実施の形態３．
図１２（ａ）〜（ｃ）を参照して、本発明の実施の形態３に係る雄コネクタ１０３（電気コネクタ）を説明する。雄コネクタ１０３では、第１の壁部１４の第１の内壁２４の構成が実施の形態１の雄コネクタ１００及び実施の形態２の雄コネクタ１０２と異なる。また、雄コネクタ１０３では、第２の壁部１５の第２の内壁２５の構成が実施の形態１の雄コネクタ１００と同じである。
【００６８】
図１２（ａ）、（ｃ）に示すように、第１の壁部１４の第１の内壁２４は、高さ方向の上下端部に２箇所の逆テーパ壁面２４ａを備える。逆テーパ壁面２４ａの間には逃げ空間２８が設けられている。上下方向の逆テーパ壁面２４ａに対応する底部１３の位置には、底面開口部１８ｅ、１８ｆが設けられている。
【００６９】
図１２（ａ）、（ｂ）に示すように、第２の内壁２５は、高さ方向の中央部に逆テーパ壁面２５ａを備える。また、図１２（ａ）、（ｃ）に示すように、第２の壁部１５の第２の内壁２５は、高さ方向の上下端部に順テーパ面のテーパ壁面２５ｂを備える。
【００７０】
即ち、実施の形態３では、雄ハウジング１０の幅方向の両側において、逆テーパ壁面２４ａ及び逆テーパ壁面２５ａが設けられている。
【００７１】
次に、図１３〜図１５を参照して、実施の形態３の雄コネクタ１０３の製造方法に使用される第１の金型３０３（第１の型）及び第２の金型４０３（第２の型）について説明する。
【００７２】
図１３に示すように、雄コネクタ１０３の雄ハウジング１０は、第１の金型３０３と第２の金型４０３とにより樹脂材料から成形される。本実施の形態で説明する製造方法は、特に、雄ハウジング１０において、第１の壁部１４の逆テーパ壁面２４ａと、第２の壁部１５の逆テーパ壁面２５ａ及びテーパ壁面２５ｂと、を形成することを指す。
【００７３】
図１３及び図１４（ａ）、（ｂ）に示すように、実施の形態３の第１の金型３０３には、２つの延出部３４０ａ、３４０ｂが底面３２１から開口部３２２に向かって突出するように配置されている。延出部３４０ａ、３４０ｂは、高さ方向の中央部を挟む上下に設けられている。雄ハウジング１０の逆テーパ壁面２５ａを形成するためのテーパ面３４１が延出部３４０ａ、３４０ｂに設けられていることは、実施の形態１と同様である。
【００７４】
加えて、底部３１０（底部）は、開口部３２２に向かって−Ｙ方向に延出する２つの延出部３３０ａ、３３０ｂを備える。図１４（ａ）に示すように、２つの延出部３３０ａ、３３０ｂは、Ｚ軸方向に対向した状態で底部３１０に保持されている。
【００７５】
図１４（ａ）、（ｂ）に示すように、延出部３３０ａ、３３０ｂは、底部３１０とは別の部材又は同一の部材であり、底部３１０を貫通している。延出部３３０ａ、３３０ｂは、底部３１０と一体となっている。その他、製造を容易とするために、雄ハウジング１０の成形後の第１の金型３０３からの離型の際に、第１の金型３０３と雄ハウジング１０とから延出部３３０ａ、３３０ｂを抜いた後、第１の金型３０３から雄ハウジング１０を離型する場合もある。そのため、延出部３３０ａ、３３０ｂを、底部３１０と組み合わせられる別体として形成することとしてもよい。延出部３３０ａは、−Ｘ方向の一面に、雄ハウジング１０の逆テーパ壁面２４ａを形成するためのテーパ面３３１（第１のテーパ面）が形成された形状を有する。テーパ面３３１が形成されることにより、延出部３３０ａの幅は、＋Ｙ方向側から−Ｙ方向側に向かうにつれて徐々に細くなる。延出部３３０ｂも、延出部３３０ａと同様にテーパ面３３１が形成された形状を有する。
【００７６】
雄ハウジング１０が形成された後、延出部３３０ａ、３３０ｂに対応する雄コネクタ１００の部分は、底面開口部１８ｅ、１８ｆとなる。
【００７７】
また、図１３及び図１５（ａ）、（ｂ）に示すように、実施の形態３の第２の金型４０３には、１つのテーパ面４２２が配置されている。テーパ面４２２は、第２の壁部１５の高さ方向の中央部に位置する、順テーパ面のテーパ壁面２５ｂを形成する。第１の壁部１４の第１の内壁２４については、順テーパ面の壁面が形成されないため、実施の形態１のテーパ面４２１に相当するテーパ面が形成されていない。
【００７８】
その他、第１の金型３０３及び第２の金型４０３には、組み合わせて雄コネクタ１０３の被係止部２０及び逃げ空間２８を形成するための、図示しない凸部又は凹部が設けられている。
【００７９】
これらの第１の金型３０３、第２の金型４０３を使用して、前述の図３と同様に雄ハウジング１０の材料を挟み込んで成形することにより、実施の形態３の雄コネクタ１０３における雄ハウジング１０が形成される。
【００８０】
次に、図１６を参照して、上記のように構成された雄コネクタ１０３の雄ハウジング１０内に雌コネクタ２００を挿入する形態を説明する。
【００８１】
嵌合前の状態から、図１６に示すように、雌コネクタ２００を挿入方向Ｄに従って雄ハウジング１０の開口部１２から挿入すると、雌コネクタ２００の雌ハウジング２１０は、逆テーパ壁面２４ａ及び逆テーパ壁面２５ａに案内される。雌コネクタ２００は、図１６に示されたような仮想線Ｐに対してやや図示右側に傾く方向から、反対に図示左側に傾く方向までの角度範囲において、逆テーパ壁面２４ａ及び逆テーパ壁面２５ａで規定される壁面間を進行する。
【００８２】
さらに雌コネクタ２００が挿入されると、Ｚ軸方向から見てテーパ壁面２５ｂと逆テーパ壁面２５ａとが交差するＹ軸方向の位置Ｑより先では、雌コネクタ２００は逆テーパ壁面２４ａとテーパ壁面２５ｂとに案内される。即ち、雌コネクタ２００は、位置Ｑより手前における角度範囲よりやや狭い角度範囲内で雄ハウジング１０内を進行する。雌端子２２１の幅は雄端子２１の幅より広いため、雄端子２１と雌端子２２１との接続に支障はない。
【００８３】
ここで、雄ハウジング１０の底面２３における幅寸法Ｗ１と、開口部１２における第１の壁部１４と第２の壁部１５との間隔である幅寸法Ｗ２と、の関係は、実施の形態１と同様にＷ１＜Ｗ２である。また、幅寸法Ｗ１と、開口部１２における逆テーパ壁面２４ａと逆テーパ壁面２５ａとの間隔である幅寸法Ｗ３と、の関係も、実施の形態１と同様にＷ１≧Ｗ３である。
【００８４】
ここで、雄ハウジング１０の底面２３における幅寸法Ｗ１は、逆テーパ壁面２４ａとテーパ壁面２５ｂとにより決まる。幅寸法Ｗ１と、開口部１２における逆テーパ壁面２４ａとテーパ壁面２５ｂとの間隔である幅寸法Ｗ２と、の関係は、Ｗ１＜Ｗ２である。即ち、実施の形態１と同様に、底面２３側における幅が開口部１２側における幅より狭くなることが好ましい。
【００８５】
また、幅寸法Ｗ１と、開口部１２における逆テーパ壁面２４ａと逆テーパ壁面２５ａとの間隔である幅寸法Ｗ３と、の関係は、Ｗ１≧Ｗ３である。即ち、逆テーパ壁面２５ａを設けた領域では、実施の形態１と同様に、開口部１２における幅が底面２３における幅と同等又はさらに狭くなっている。
【００８６】
その後、図７に示したように、雌コネクタ２００が雄ハウジング１０の底面２３まで到達し挿入が完了する。これにより、雄ハウジング１０と雌ハウジング２１０とが機械的に接続される。挿入完了時には、雌ハウジング２１０に設けられた係止部２２０が雄コネクタ１０３の被係止部２０に係止される。
【００８７】
以上説明したように、幅方向の両側にそれぞれ逆テーパ壁面２４ａ及び逆テーパ壁面２５ａを設けることとしてもよい。
【００８８】
なお、この発明は上記実施の形態に限定されず、種々の変形及び応用が可能である。
【００８９】
実施の形態１〜実施の形態３に記載した逆テーパ壁面２４ａ及び逆テーパ壁面２５ａの配置を組み合わせることとしてもよい。例えば、実施の形態３のように幅方向の両側に逆テーパ壁面２４ａ及び逆テーパ壁面２５ａを設ける場合に、２つの逆テーパ壁面２４ａを上下端部に配置し、１つの逆テーパ壁面２５ａを中央部に設けることとしてもよい。
【００９０】
また、上述の実施の形態では雄ハウジング内１０内に雌ハウジング２１０が挿入される形態であるが、雌端子を有する雌ハウジング内に雄端子を有する雄ハウジングが挿入されることとしてもよい。
【００９１】
また、上述の逆テーパ壁面２４ａ及び逆テーパ壁面２５ａ以外の構成は任意である。
【００９２】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００９３】
１０  雄ハウジング（ハウジング）、１１  収容部、１２  開口部、１３  底部、１４  第１の壁部、１５  第２の壁部、１６  第３の壁部、１７  第４の壁部、１８ａ、１８ｂ、１８ｃ、１８ｄ、１８ｅ、１８ｆ  底面開口部、１９  溝部、２０  被係止部（凸部）、２１  雄端子（端子）、２３  底面、２４  第１の内壁、２５  第２の内壁、２４ａ  逆テーパ壁面、２５ａ  逆テーパ壁面、２４ｂ  テーパ壁面、２５ｂ  テーパ壁面、２６  第３の内壁、２７  第４の内壁、２８  逃げ空間、３０  基板、４０  取付部材、５０  孔、６０  内壁部、１００、１０２、１０３  雄コネクタ（電気コネクタ）、２００  雌コネクタ（相手側コネクタ）、２１０  雌ハウジング、２２０  係止部、２２１  雌端子、３００、３０２、３０３  第１の金型（第１の型）、３１０  底部、３１４、３１５、３１６、３１７  壁部、３２０  凹面部、３２１  底面、３２２  開口部、３２４、３２５、３２６、３２７  内壁、３３０ａ、３３０ｂ  延出部、３３１  テーパ面（第１のテーパ面）、３４０、３４０ａ、３４０ｂ  延出部、３４１  テーパ面（第１のテーパ面）、４００、４０２、４０３  第２の金型（第２の型）、４１０  基部、４２０  凸面部、４２１、４２２  テーパ面（第２のテーパ面）、Ｄ  挿入方向、Ｐ  仮想線、Ｑ  位置。
【図１】
2019135708.tif 000003
【図２】
2019135708.tif 000004
【図３】
2019135708.tif 000005
【図４】
2019135708.tif 000006
【図５】
2019135708.tif 000007
【図６】
2019135708.tif 000008
【図７】
2019135708.tif 000009
【図８】
2019135708.tif 000010
【図９】
2019135708.tif 000011
【図１０】
2019135708.tif 000012
【図１１】
2019135708.tif 000013
【図１２】
2019135708.tif 000014
【図１３】
2019135708.tif 000015
【図１４】
2019135708.tif 000016
【図１５】
2019135708.tif 000017
【図１６】
2019135708.tif 000018